【手続補正書】
【提出日】平成31年3月19日(2019.3.19)
【手続補正１】
【補正対象書類名】特許請求の範囲
【補正対象項目名】全文
【補正方法】変更
【補正の内容】
【特許請求の範囲】
【請求項１】
真空掃除機であって、
掃除機本体と、
前記掃除機本体に連結される吸入ノズルとを備えてなり、
前記吸入ノズルは、
前部に開口が規定されるハウジングと、
前記ハウジングの内側に配置され、少なくとも一部が前記ハウジングの前記開口から露出し、前記ハウジングに対して回転するように構成される回転掃除部とを備え、
前記回転掃除部は、
前記ハウジングの内側に回転可能に結合される円筒状のノズル本体と、
前記ノズル本体の外周面に配置される複数の繊維フィラメント及び複数の金属フィラメントとを備えてなることを特徴とする、真空掃除機。
【請求項２】
前記金属フィラメントは、
繊維フィラメントと、
前記繊維フィラメントの外周面に配置される導電性コーティング層とを備えてなることを特徴とする、請求項１に記載の真空掃除機。
【請求項３】
前記導電性コーティング層は、黄銅又はダイジェナイト（Ｃｕ９Ｓ５）からなることを特徴とする、請求項２に記載の真空掃除機。
【請求項４】
前記導電性コーティング層の平均厚さは、０．３〜１．０μｍであることを特徴とする、請求項２に記載の真空掃除機。
【請求項５】
前記複数の金属フィラメントの平均太さは、２２０〜２６０ｄｅｃｉ−Ｔｅｘ（ｄＴｅｘ）であることを特徴とする、請求項１に記載の真空掃除機。
【請求項６】
前記複数の繊維フィラメントと前記複数の金属フィラメントの数の合計に対する前記複数の金属フィラメントの個数比は、２．５％以上であることを特徴とする、請求項１に記載の真空掃除機。
【請求項７】
前記ノズル本体の外周面の全面積に対する前記複数の金属フィラメントの面積比は、２．５％以上であることを特徴とする、請求項１に記載の真空掃除機。
【請求項８】
前記複数の金属フィラメントのうち１本の金属フィラメントの電気抵抗は、１００ｋΩ以下であることを特徴とする、請求項１に記載の真空掃除機。
【請求項９】
前記複数の金属フィラメントのうち１本の金属フィラメントの引張強度は、３．５ｃｅｎｔｉ Ｎｅｗｔｏｎ／ｄｅｃｉ−Ｔｅｘ（ｃＮ／ｄＴｅｘ）以上であることを特徴とする、請求項１に記載の真空掃除機。
【請求項１０】
前記複数の金属フィラメントのうち１本の金属フィラメントの引張伸びは、前記１本の金属フィラメントの長さの３３〜４５％であることを特徴とする、請求項１に記載の真空掃除機。
【請求項１１】
前記回転掃除部の表面抵抗値は、１×１０２〜１×１０３Ω／１０ｃｍであることを特徴とする、請求項１に記載の真空掃除機。
【請求項１２】
前記複数の金属フィラメントの比抵抗値は、１×１０−１〜１×１０−２Ω／１０ｃｍであることを特徴とする、請求項１に記載の真空掃除機。
【請求項１３】
前記回転掃除部は、
前記ノズル本体の外周面を囲む繊維層と、
前記複数の繊維フィラメント及び前記複数の金属フィラメントを支持するように構成される支持部とをさらに備えてなり、
前記繊維層は、互いに離隔した複数の植毛部を備え、
各植毛部は、前記複数の繊維フィラメントの一部及び前記複数の金属フィラメントの一部を受け止めるように構成され、
各植毛部は、孔と、前記孔を横切るブリッジとからなり、
各繊維フィラメントは、束を撚り合わせて形成され、各金属フィラメントは、束を撚り合わせて形成され、
各繊維フィラメントの中心及び各金属フィラメントの中心は、前記ブリッジに結合され、
各繊維フィラメントの端部及び各金属フィラメントの端部は、前記ノズル本体の中心から遠ざかる方向に延び、
前記支持部は、前記ノズル本体と前記繊維層との間で接着剤の硬化により形成され、前記ノズル本体の長手方向、前記ノズル本体の円周方向、前記ノズル本体の螺旋方向の少なくとも１つに延びることを特徴とする、請求項１に記載の真空掃除機。
【請求項１４】
前記回転掃除部は、
前記複数の繊維フィラメントを備えたストラップ部と、
前記複数の繊維フィラメント及び前記複数の金属フィラメントの両方を備えた静電気防止部とを備え、
前記ストラップ部及び前記静電気防止部は、前記ノズル本体の長手方向、前記ノズル本体の円周方向、前記ノズル本体の螺旋方向の少なくとも１つに延びることを特徴とする、請求項１に記載の真空掃除機。
【請求項１５】
真空掃除機であって、
掃除機本体と、
前記掃除機本体に連結される吸入ノズルとを備えてなり、
前記吸入ノズルは、
前部に開口が規定されるハウジングと、
前記ハウジングの内側に配置され、前記ハウジングに対して回転するように構成され、前記ハウジングの内側に回転可能に結合されるノズル本体を備え、少なくとも一部が前記ハウジングの前記開口から露出する回転掃除部と、
前記ノズル本体の少なくとも一端部に挿入され、前記ノズル本体を回転可能に支持するように構成され、前記ノズル本体とは異なる材質からなる支持部材と、
前記ノズル本体の少なくとも一端部に結合され、前記支持部材に接触するように構成されるブラケットとを備え、
前記支持部材と前記ブラケットとの接触面は、前記ノズル本体の長手方向に対して傾斜していることを特徴とする、真空掃除機。
【請求項１６】
前記ノズル本体の内側に配置され、前記ノズル本体の長手方向に延びるシャフトをさらに備え、
前記支持部材は、
前記シャフトを囲むベアリングと、
前記ベアリングを囲み、前記ノズル本体とは異なる材質からなるベアリングカバーとを備え、
前記ブラケットは、前記ノズル本体と前記ベアリングカバーとの間に配置されることを特徴とする、請求項１５に記載の真空掃除機。
【請求項１７】
前記ブラケットは、
円形に形成され、前記ノズル本体の少なくとも一端部に結合されるように構成されるノズル本体結合部と、
前記ノズル本体結合部から前記ノズル本体に向かって突出し、前記ノズル本体の内周面に沿って前記ノズル本体の内側にさらに延びる延長部と、
前記ノズル本体結合部の内周面から突出し、前記ベアリングカバーに接触するように構成される面接触部とを備え、
前記延長部及び前記面接触部は、前記ノズル本体結合部の前記内周面に沿って交互に配置されることを特徴とする、請求項１６に記載の真空掃除機。
【請求項１８】
前記吸入ノズルは、
前記ノズル本体の少なくとも一端部を覆うように構成される側面カバーを備え、
前記支持部材は、
前記吸入ノズルの前記側面カバーに結合され、前記ノズル本体の少なくとも一端部に挿入され、前記ノズル本体を回転可能に支持するように構成される回転支持部を備え、
前記ブラケットは、前記ノズル本体と前記回転支持部との間に配置されることを特徴とする、請求項１５に記載の真空掃除機。
【請求項１９】
前記ノズル本体を回転させる力を発生するように構成される駆動部と、
前記ノズル本体の内側に配置され、前記ノズル本体の長手方向に延び、前記駆動部から発生した力を前記ノズル本体に伝達するように構成されるシャフトをさらに備え、
前記ブラケットは、
円形に形成され、前記ノズル本体の少なくとも一端部に結合されるように構成されるノズル本体結合部と、
前記ノズル本体結合部から前記ノズル本体に向かって突出し、前記ノズル本体の内周面に沿って前記ノズル本体の内側にさらに延びる延長部と、
前記延長部から前記シャフトに向かって延び、前記シャフトに結合されるように構成されるシャフト結合部とを備えてなることを特徴とする、請求項１８に記載の真空掃除機。
【請求項２０】
前記ノズル本体は、前記ノズル本体の内周面から突出する突起部を備え、
前記突起部は、前記ノズル本体の長手方向に延び、
前記ブラケットは、前記突起部に接触し、前記突起部を前記ノズル本体の回転方向に加圧するように構成されることを特徴とする、請求項１５に記載の真空掃除機。
【請求項２１】
前記ノズル本体は、金属材質からなることを特徴とする、請求項１５に記載の真空掃除機。
【請求項２２】
前記金属材質は、アルミニウムであることを特徴とする、請求項２１に記載の真空掃除機。
【請求項２３】
前記支持部材は、プラスチック射出成形物からなることを特徴とする、請求項１５に記載の真空掃除機。